(57)【要約】【課題】嵌合部の取り外しをシャーシの表面側から行うことを可能にする一方で、シャーシから離脱することを防止することを可能にした固定具を得る。【解決手段】ポスト３１の先端に設けられてシャーシ２の透孔３に嵌合される一対の嵌合片３２と、嵌合片３２に対向配置されてシャーシ２の表面に当接される一対の脚片３４と、脚片の先端部に一体に設けられた解除片３５と、嵌合片３２と脚片３４とを連結する連結片３３とを備える。解除片３５を指で摘んで内側に変形することで脚片３４及び連結片３３を介して嵌合片３２を縮径方向に変形し、シャーシ２の透孔３に対する固定具の着脱を容易なものとする。【選択図】　図３
2004092713.tif 000002
【特許請求の範囲】
【請求項１】
ポストと、前記ポストの先端に設けられて径方向に弾性変形可能な矢尻型をした一対の嵌合片と、前記ポストの基端側に設けられて前記嵌合片にそれぞれ対向配置される一対の脚片とを備え、シャーシ等に設けられた透孔内に挿入されたときに前記嵌合片が径方向に弾性変形して前記透孔に嵌合され、かつ前記脚片との間に前記シャーシ等を挟持する嵌合部を備える固定具であって、前記嵌合片は対向する脚片にそれぞれ連結片により連結されるとともに、前記脚片にはそれぞれ先端部から延長された一対の解除片が一体に形成され、前記解除片を両側から摘んで前記脚片、連結片及び嵌合片を縮径方向に変形可能に構成されていることを特徴とする固定具。
【発明の詳細な説明】
【０００１】
【発明の属する技術分野】
本発明は電子機器等のシャーシに電子部品やケーブル等を実装するために用いるケーブルクランプ等の固定具に関し、特にシャーシに対する着脱を容易にする一方でシャーシから容易に外れることがない固定具に関するものである。
【０００２】
【従来の技術】
電子機器を組み立てる場合には、パネル、シャーシ、基板等の組立基板（以下、これらをシャーシと称する）に電子部品を取り付けたり、ケーブル等の配線部品を延設配置する必要があり、そのために実装用部品が用いられる。例えば、シャーシの表面に沿って複数本のケーブルを並列状態に延設配置する場合には、複数本のケーブルを結束した状態でシャーシへの取着を行うケーブルタイが用いられる。従来のケーブルタイの一例を図９に示す。ケーブルタイ１Ｃは、複数本のケーブルを結束するために他端が自由端とされたバンド部１０と、前記バンド部１０の基端が連結され、バンド部１０を先端から挿通させたときに当該バンド部１０に設けられた図外の鋸歯に嵌合してバンド部１０の抜け出しを防止する係止歯を備えるロック部２０とを備えている。なお、これらバンド部１０及びロック部２０の構成については後述する実施形態のケーブルタイと同じ構成であるので、ここでは説明は省略する。また、前記ロック部２０の下面には嵌合部３０Ａが設けられており、この嵌合部３０Ａは、下方に突出したポスト３１の両側に矢尻型に張り出した一対の嵌合片３２を有しており、シャーシ２の表面側から嵌合片３２をシャーシ２に設けた透孔３内に挿入すると、一対の嵌合片３２は弾性により縮径されて透孔３を通され、通過後は弾性復帰して拡径することで嵌合片３２の末端部に設けた段部３２ａが透孔３の内縁部に嵌合する。また、嵌合片３２に対向して設けられているハ字状をした一対の脚片３４がシャーシ２の表面側に当接することで、前記段部３２ａと透孔３との嵌合状態が保持される。
【０００３】
ところで、近年における家電製品、ＯＡ機器、自動車、電子機器全般において環境問題の解決策として環境配慮型製品の販売が義務付けられている中で、例えば、電子機器に内装したプリント基板や配線を電子機器のシャーシやパネル等から解体可能にすることが要求されている。特に、解体作業を容易に行うために、図９に示したケーブルタイの場合にも工具等を用いることなくシャーシから容易に取り外すことが要求されている。しかしながら、この従来のケーブルタイをシャーシから取り外す際には、シャーシの裏側に突出されている嵌合片を指で摘んで縮径させる必要があり、嵌合片が小さくて指で掴み難いためにその操作が極めて行い難いという問題がある。
【０００４】
そのため、この種の実装用部品においては、電子機器の組立時にシャーシの透孔に対する取着作業を容易なものにする一方で、電子機器の解体時には素手で容易に外し易くすることが要求されている。このような固定具として、図１０（ａ）に示す固定具の嵌合部は、ロック部２０の直下に直線板状のポスト５１の先端両側に矢尻状をした嵌合片５２を形成するとともに、嵌合片５２の先端部に連結した連結片５３により段部５２ａを形成し、さらに連結片５３にはそれぞれ両外側に向けられて指で摘むことが可能な解除片５５を一体に設けている。また、ここでは脚片５４は解除片５５から両側に向けて突出する構成としている。この固定具では、透孔３に嵌合片５２を嵌合した状態から取り外す際には、同図に鎖線で示すように、解除片５５を指で両側から摘んで内側に変形させることにより、これに連動して嵌合片５２が縮径されるため、この縮径を容易なものとし、嵌合片５２を透孔３から離脱させ易くして環境問題の解決策として有効である。
【０００５】
【発明が解決しようとする課題】
しかしながら、この固定具では、図１０（ｂ）に示すように、外力によって固定具がシャーシに対して傾斜されたような場合に、シャーシの表面に接触している一方の解除片５５が相対的にポスト側に変形された状態となり、この解除片５５に連結されている側の嵌合片もポスト側に変形されてしまう。そのため、傾斜角度がある程度まで大きくなり、解除片５５がポスト５１に近接された状態になると、連結されている嵌合片５２とポスト５１との間隙も小さくなり、嵌合片５２の段部５２ａが透孔３から外れて固定具が透孔３から脱落されてしまうことになる。結局、嵌合片５２の縮径によって嵌合片５２の嵌合力が低下され、安定した信頼性の高い固定具を得ることが困難になる。なお、以上の問題はケーブルクランプに限らず、同様な嵌合構造を備える固定具の全てについて言えるものである。
【０００６】
本発明の目的は、シャーシに対する取り付け及び取り外しを容易に行うことを可能にする一方で、意に反してシャーシから離脱することを防止した固定具を提供するものである。
【０００７】
【課題を解決するための手段】
本発明は、ポストと、前記ポストの先端に設けられて径方向に弾性変形可能な矢尻型をした一対の嵌合片と、前記ポストの基端側に設けられて嵌合片にそれぞれ対向配置される一対の脚片とを備え、シャーシ等に設けられた透孔内に挿入されたときに嵌合片が径方向に弾性変形して透孔に嵌合され、かつ脚片との間にシャーシ等を挟持する嵌合部を備える固定具であって、嵌合片は対向する脚片にそれぞれ連結片により連結されるとともに、脚片にはそれぞれ先端部から延長された一対の解除片が一体に形成され、これら解除片を両側から摘んで脚片、連結片及び嵌合片を縮径方向に変形可能に構成される。
【０００８】
本発明によれば、脚片と一体の解除片を両外側から指で摘んで脚片を内側に変形することで連結片を介して嵌合片を縮径方向に変形し、シャーシの透孔に対する固定具の着脱を容易に行うことができる。また、固定具に外力が加えられた場合においても、嵌合片と脚片とが連結片によって連結されているため、脚片及び嵌合片が縮径方向に変形されることが抑止でき、固定具が透孔から脱落することが防止される。
【０００９】
【発明の実施の形態】
次に、本発明の実施形態を図面を参照して説明する。図１は本発明の固定具としてケーブルタイに適用した実施形態の斜視図、図２はその使用状態の斜視図である。また、図３（ａ），（ｂ），（ｃ）はその要部の正面図、側面図、底面図である。これらの図において、本実施形態のケーブルタイ１は、図外のケーブルを巻き締め状態にクランプするためのベルト部１０と、このベルト部１０をケーブルを巻き締めた状態にロックするロック部２０と、前記ロック部２０の下部ないし側部に形成された嵌合部３０とで構成されており、各部は樹脂成形により一体に形成されている。そして、前記嵌合部３０がシャーシ２に設けられた透孔３に嵌入されることでシャーシ２に取着されるようになっている。
【００１０】
前記ベルト部１０及びロック部２０の構成は既に広く知られている構造であり、ベルト部１０は、基端部１１が前記ロック部２０に連結された所要幅で所要長さのベルトとして形成されており、先端部１２は若干幅寸法が徐々に縮小されて後述するロック部への挿通が容易にされるとともに、その長さ方向の中間部１４の一側面には鋸歯部１３が長さ方向の所要領域にわたって形成されている。前記ロック部２０は矩形をした筒状部２１を有しており、この筒状部２１の内部には前記ベルト部１０の先端部１２ないし中間部１４を挿通可能な挿通溝２２が形成され、この挿通溝２２内には前記ベルト部１０の鋸歯部１３に嵌合可能な舌片状のロック片２３が内装支持されている。そのため、図２に示すように、前記ベルト部１０をケーブルＣの周囲に沿って曲げ変形させながらその先端部１２からロック部２０の挿通溝２２内に挿通し、ロック片２３と鋸歯部１３とを嵌合させることで、ベルト部１０は挿通溝２２からの離脱が係止され、ケーブルを巻き締めた状態が保持される。
【００１１】
一方、前記嵌合部３０は前記ロック部２０の下面から垂直下方に向けて突出された細長い板状をしたポスト３１と、前記ポスト３１の先端の左右面両から外側斜め上方に向けて延長され、水平方向の断面が前記ポスト３１を中心とした円弧状に形成された矢尻型の一対の嵌合片３２，３２と、前記ロック部２０の筒状部２１の両側下部から下方に向けられ、さらに先端部が外側に向けられて横向き円柱状をした当接部３４ａ，３４ａを備える一対の脚片３４，３４と、前記各嵌合片３２，３２の上端部から上方に突出されてその先端が前記脚片３４，３４の垂直下方に延長された部分において連結された連結片３３，３３とを備えている。
【００１２】
ここで、前記連結片３３，３３は前記嵌合片３２，３２の上端部よりも薄肉に形成されており、これにより前記嵌合片３２，３２の上端部には連結片３３，３３との肉厚の差に相当する段部３２ａ，３２ａが形成される。また、前記連結片３３，３３は前記脚片３４，３４の垂直下方に延長された部分に連続した直線状に形成されている。これにより、前記各一対の嵌合片３２、連結片３３、及び脚片３４によって概ね矩形をした枠体が構成されることになる。さらに、前記脚片３４，３４には先端の当接部３４ａ，３４ａから若干外側に広げられるように上方に向けて所要寸法で延長された解除片３５，３５がそれぞれ一体に形成されている。この解除片３５，３５は両側から指で摘んで挟み込むことができ、しかもその場合に指先が痛くならない程度の長さに形成されている。また、摘む際に解除片３５，３５自身が変形されることがないように、脚片３４を含めた所要の厚さに形成されている。
【００１３】
以上の構成のケーブルタイ１によれば、ケーブルタイ１をシャーシ２の透孔３に取着する際には、図４（ａ）に示すように、作業者はケーブルタイ１の嵌合片３２，３２をシャーシ２の上面側から透孔３に挿入する。このようにして挿入することにより、嵌合片３２，３２は内径方向に弾性変形されて縮径され、透孔３内の挿入を可能にする。そして、図４（ｃ）に示すように、嵌合片３２，３２が透孔３を貫通すると、嵌合片３２，３２は弾性力によって復元して外径方向に拡径し、段部３２ａ，３２ａがシャーシ２の下面において透孔３の内縁部に嵌合する。また、脚片３４，３４は先端の当接部３４ａ，３４ａが脚片３４，３４の弾性力によってシャーシ２の上面に当接され、嵌合片３２，３２が拡径する方向、すなわち段部３２ａ，３２ａが透孔３の内縁部から外れない方向の力を加えているため、ケーブルタイ１は透孔３に嵌合した状態が保持され、シャーシ２からの脱落が防止される。
【００１４】
しかる上で、図２に示したように、シャーシ２の上面に延設しようとするケーブルにベルト部１０を巻き付け、当該ベルト部１０の先端部１２をロック部２０の挿通溝２２に挿入し、ロック片２３と鋸歯部１３とを嵌合させることで、ベルト部１０は挿通方向と逆方向への離脱が係止され、ケーブルを巻き締めた状態が保持される。したがって、ケーブルはケーブルタイ１によってシャーシの上面に保持される。なお、ベルト部１０においてケーブルを巻き締める作業はケーブルタイ１をシャーシに取着する前に行っていてもよく、その上で嵌合部３０を透孔３に挿入して嵌合取着するようにしてもよい。
【００１５】
一方、シャーシ２に対して取着状態にあるケーブルタイ１をシャーシ２から離脱させる際には、図５に示すように、２本の指Ｆで解除片３５，３５を両外側から摘み、かつ両側から力を加えて解除片３５，３５を内側に変形させる。この変形により、図４（ｂ）に示すように、解除片３５，３５と一体の脚片３４，３４も内側に向けて変形され、さらに脚片３４，３４に連結されている連結片３３，３３が内側に変形される。したがって、連結片３３，３３と一体の嵌合片３２，３２も内側に変形されて縮径され、段部３２ａ，３２ａが透孔３の内縁部から外れることになる。したがって、そのままケーブルタイ１をシャーシ２の上方に引き上げることで嵌合部３０を透孔３から引き抜くことができ、ケーブルタイ１の取り外しが実現できる。なお、嵌合部３０を透孔３に嵌合させる際にも、解除片３５，３５を挟んで嵌合片３２，３２を縮径させながら行うようにしてもよい。
【００１６】
また、このケーブルタイ１では、図６に示すように、シャーシ２に取着した状態において、例えば、ケーブルが移動される等によって生じる外力がケーブルタイ１に加わった場合に、ケーブルタイ１の全体がシャーシ２に対して傾斜されたとき、脚片３４はそれぞれ先端の当接部３４ａがシャーシ２の表面に沿って移動されながら外側方向に変形されようとする。しかしながら、当該脚片３４は連結片３３によって嵌合片３２に連結されており、これらで矩形の枠体を構成しているため、嵌合片３２及び連結片３３の張抗力によって脚片３４が外側方向に変形することは抑止される。このとき、一方の段部３２ａは透孔３から外れる位置に移動されることがあるが、嵌合部３０が透孔３から引き抜かれ状況のときには脚片３４及び連結片３３による外側方向への張力によって嵌合片３２の段部３２ａは透孔３の内縁部に再び嵌合されるため、脱落されることはない。したがって、ケーブルタイ１のポスト３１が傾斜されても、一対の嵌合片３２，３２は段部３２ａ，３２ａにおいて透孔３の内縁部に嵌合した状態が保持され、結果としてケーブルタイ１がシャーシ２から離脱されることはない。
【００１７】
以上のことから、本実施形態のケーブルタイ１は、シャーシ２の透孔３にケーブルタイ１を取着する作業及び当該実装用部品の離脱作業を容易に行うことができ、環境問題の解決策として電気製品のプリント基板や配線をシャーシやパネル等から解体する際の作業を容易にする一方で、取着したケーブルタイ１がシャーシ２から容易に離脱することがなく、ケーブルタイによるケーブル保持の信頼性を向上することが可能になる。
【００１８】
ここで、前記実施形態では本発明をケーブルタイに適用した実施形態を示してたが、例えば図７に示すようなケーブルクランプ１Ａに適用してもよい。図７（ａ），（ｂ），（ｃ）はそれぞれ正面図、側面図、ＡＡ線断面図である。このケーブルクランプ１Ａは複数のケーブルを束状に保持するクランプ部１０Ａと、当該クランプ部４０と一体に設けられて図外のシャーシに開口された透孔内に嵌合する嵌合部３０とで構成され、樹脂成形等によって一体に形成される。クランプ部４０は、上向きコ字状をしたベース４１と、前記ベース４１の一端部にヒンジ可能に連結されたカバー４２とで矩形枠状に形成されている。また、ベース４１の他端部には上向きの嵌合凹部４３が形成され、前記カバー４２の先端部には前記嵌合凹部４３に対向して楔型に曲げ形成されたフック４５を有する嵌入片４４が形成されている。このクランプ部４０では、カバー４２を開いた状態でベース４１内にケーブルを挿通させた後、カバー４２を閉じることにより、嵌入片４４は弾性変形しながら嵌合凹部４３内に嵌入され、その後に弾性復帰してフック４５が嵌合凹部４３に嵌合することで嵌合状態が保持されることになる。嵌合を解除する場合には、嵌入片４４を手作業により摘まむことでフック４５を嵌合凹部４３から取り外し、カバー４２を開くことが可能になる。
【００１９】
また、嵌合部３０は前記実施形態と基本的に同じ構成であるが、クランプ部４０の存在によって嵌合部３０の解除片３５を掴むことが困難になるため、嵌合部３０にはクランプ部４０のベース４１の下面から側方に向けて延長された板状の延出部３６を設け、この延出部３６によりクランプ部４０の直下位置を避けた側方位置に嵌合部３０を配設している。前記延出部はベース４１の下面から側方に向けて突出された中央片３６ａと、この中央片３６ａを挟んで所要の間隔を置いた位置から平行に突出されかつ先端部において円弧状に曲げ形成されて前記中央片３６ａに連結された一対の両側片３６ｂ，３６ｂとで全体としてほぼＥ字状をした形状とされている。そして、前記中央片３６ａの一部に前記ポスト３１が一体に形成され、前記両側片３６ｂ，３６ｂの各一部に前記脚片３４，３４及び連結片３３，３３が一体に形成されている。
【００２０】
このケーブルクランプ１Ａによれば、嵌合部３０をシャーシの透孔に嵌合して取り付けることは前記実施形態と同じである。また、一対の解除片３５を指で掴むことによって嵌合部３０を透孔から容易に取り外すことができることも前記実施形態と同じである。なお、この実施形態ではクランプ部４０が存在していても嵌合部３０は延出部３６によってクランプ部４０の直下から外れた側方位置に配置されているため、解除片３５を指で掴むときにクランプ部４０が邪魔になるようなこともない。
【００２１】
また、本発明は図８に示すように本発明を基板サポート１Ｂに適用してもよい。基板サポート１Ｂはシャーシの表面に沿ってプリント回路基板等の基板を沿設支持させるものであり、その上側嵌合部３０Ａが図外の基板に設けられた透孔に基板の下面側から嵌合し、下側嵌合部３０がシャーシの透孔に上面側から嵌合することで基板をシャーシ上に支持するものである。そして、この実施形態では、上側嵌合部３０Ａには、図９に示した従来の嵌合部３０Ａと同様の構造を採用し、下側嵌合部３０に本発明を適用した構成となっている。すなわち、上側嵌合部３０Ａは、主軸４の上端部にポスト３１、一対の嵌合片３２，３２、当該嵌合片３２，３２の端部に段部３２ａ，３２ａを形成するための突出片３２ｂ，３２ｂ、及び一対の脚片３４，３４を形成している。また、前記主軸４の下端部にポスト３１、一対の嵌合片３２，３２、一対の連結片３３，３３、一対の脚片３４，３４及び一対の解除片３５，３５を形成し、これらで本発明にかかる嵌合部３０を形成して基板サポート１Ｂを構成する。
【００２２】
この実施形態では、基板サポート１Ｂの下側嵌合部３０において、前記各実施形態と同様に当該嵌合部３０をシャーシに設けた透孔に取着し、かつ解除片３５，３５を指で操作することで容易に離脱することが可能である。この場合においても、シャーシの透孔に取着されている基板サポート１Ｂが傾斜されようとした場合に、脚片の変形が嵌合片に影響をおよぼすことがないため、嵌合部が透孔から離脱されることが防止される。なお、上側嵌合部３０Ａにおいては、図９の場合と同様に、嵌合片３２が基板の透孔を貫通して段部３２ａにおいて透孔の内縁部に嵌合し、脚片３４の当接によって基板を支持するものであることは言うまでもない。
【００２３】
以上本発明を種々の実施形態に基づいて説明したが、本発明の固定具は前記各実施形態に記載の構成に限られるものではなく、シャーシに設けた透孔に嵌合して取着する各種の固定具についても同様に適用できることは言うまでもない。
【００２４】
【発明の効果】
以上説明したように本発明の固定具は、シャーシの透孔内に嵌合される嵌合片は対向する脚片にそれぞれ連結片により連結されるとともに、脚片にはそれぞれ先端部から延長された一対の解除片が一体に形成され、これら解除片を両側から摘んで脚片、連結片及び嵌合片を縮径方向に変形可能に構成しているので、解除片を両外側から指で摘んで脚片を内側に変形することで連結片を介して嵌合片を縮径方向に変形し、シャーシの透孔に対する固定具の着脱を容易に行うことができる。また、固定具に外力が加えられた場合においても、嵌合片と脚片とが連結片によって連結されているため、脚片及び嵌合片が縮径方向に変形されることが抑止でき、固定具が透孔から脱落することが防止される。これにより、シャーシの透孔に固定具を取着する作業及び当該固定具の離脱作業を容易に行うことができ、環境問題の解決策として電気製品のプリント基板や配線をシャーシやパネル等から解体する際の作業を容易にする一方で、取着した固定具がシャーシから簡単に離脱することがなく、固定具の信頼性を向上した各種電子機器を得ることが可能になる。
【図面の簡単な説明】
【図１】本発明をケーブルタイに適用した実施形態の斜視図である。
【図２】図１のケーブルタイの全体構成の背面図及び側面図である。
【図３】図１のケーブルタイの嵌合部を拡大した正面図、右側面図、底面図である。
【図４】図１のケーブルタイの装着動作を説明する図である。
【図５】図１のケーブルタイの解除片を操作する状態を示した正面図である。
【図６】ケーブルタイが傾斜された状態の正面図である。
【図７】本発明をケーブルクランプに適用した実施形態の正面図、側面図、ＡＡ線断面図である。
【図８】本発明を基板サポートに適用した実施形態の正面図である。
【図９】従来のケーブルタイの嵌合部の正面図である。
【図１０】従来の固定具の他の嵌合部の正面図とその動作を説明する図である。
【符号の説明】
１　ケーブルタイ（固定具）
２　シャーシ
３　透孔
１０　ベルト部
１３　鋸歯部
２０　ロック部
２２　挿通溝
２３　ロック片
３０　嵌合部
３１　ポスト
３２　嵌合片
３３　連結片
３４　脚片
３５　解除片
Ｃ　ケーブル
【図１】
2004092713.tif 000003
【図２】
2004092713.tif 000004
【図３】
2004092713.tif 000005
【図４】
2004092713.tif 000006
【図５】
2004092713.tif 000007
【図６】
2004092713.tif 000008
【図７】
2004092713.tif 000009
【図８】
2004092713.tif 000010
【図９】
2004092713.tif 000011
【図１０】
2004092713.tif 000012